(57)【要約】テレビ、映画セット、ロケーション、及びその他の類な適用で使用される、可搬であり適合可能なモジュラー式照明装置が記載される。装置は、枠組が鉛直部材に対して上下に移動可能なように、複数の鉛直部材に配置される水平枠組を備える。照明、照明取付具、及びその他の取付具は、装置が遠隔制御可能なように枠組に取り付けられる。特に、本発明の実施形態では、照明、取付具、及び／又は枠組はコンピューター制御される。装置の動作、強度、角度、高さ、及び他の類似な特性それ自体は、予めプログラムし得るものである。そして、リグは必要に応じて遠隔操作される。リグ全体が１つのセットから他のセットへと移動可能にする、ローラーのような可動手段を鉛直部材が装備しているときには、装置は可搬である。装置は、リグが２つのセット間で及び複数のセット間で移動可能にするように別個に構成される「集成ライン」プロセスを示唆しかつ具現化する。
2004535656.tif 000002
【特許請求の範囲】
【請求項１】
セット照明装置であって、
上側端部及び下側端部を具備する複数の鉛直部材に連結される水平枠組と、
前記装置を移動させるために前記下側端部に連結される手段と、
前記枠組に連結される複数の取付具と、
前記照明取付具の動作を制御する手段と、
前記制御手段と電気通信し、前記取付具の動作を予めプログラム可能にするようなプログラム可能手段を具備するディジタルプロセッサと、を備え、
前記ディジタルプロセッサが前記取付具の動作を遠隔制御するように構成され、
移動させるための前記手段が前記装置の使用中に地面と接触するように構成され、及び
前記枠組が複数の前記鉛直部材によって支持されるように構成されたセット照明装置。
【請求項２】
前記取付具は、照明及び照明取付具から成る群から選択された少なくとも２つの部材を備える、請求項１に記載のセット照明装置。
【請求項３】
前記枠組は前記鉛直部材に対して直角に移動可能に構成される、請求項１に記載のセット照明装置。
【請求項４】
前記枠組が少なくとも１つの延長アームを備え、少なくとも１つの前記延長アームが少なくとも１つの背景幕照明を支持するように構成される、請求項１に記載のセット照明装置。
【請求項５】
前記照明装置が、２つの前記セット間及び複数の該セット間での前記セット照明装置の移動を可能にするように個々に構成されるセットと共に使用される、請求項１に記載のセット照明装置。
【請求項６】
セット照明装置であって、
上側端部及び下側端部を具備する複数の鉛直部材に連結される水平枠組と、
前記装置を移動させるために前記下側端部に連結される可動部材と、
前記枠組に連結されかつ制御し得る、複数の取付具と、
前記取付具と電気通信し、前記取付具の動作を予めプログラム可能にするようなプログラム可能手段を具備するディジタルプロセッサと、を備え、
前記ディジタルプロセッサが前記取付具の動作を遠隔制御するように構成され、
前記可動部材が前記装置の使用中に水平面によって支持されるように構成され、及び
前記枠組が複数の前記鉛直部材によって支持されるように構成されたセット照明装置。
【請求項７】
制御された前記取付具がある角度に向けられるか又は時々回転される、請求項６に記載のセット照明装置。
【請求項８】
前記取付具は、照明及び照明取付具から成る群から選択された少なくとも２つの部材を備える、請求項６に記載のセット照明装置。
【請求項９】
前記枠組は前記鉛直部材に対して直角に移動可能に構成される、請求項６に記載のセット照明装置。
【請求項１０】
前記水平面は前記地面である、請求項６に記載のセット照明装置。
【請求項１１】
前記枠組が少なくとも１つの延長アームを備え、少なくとも１つの前記延長アームが少なくとも背景幕照明を支持するように構成される、請求項６に記載のセット照明装置。
【請求項１２】
前記照明装置が、２つの前記セット間及び複数の該セット間での前記セット照明装置の移動を可能にするように個々に構成されるセットと共に使用される、請求項６に記載のセット照明装置。
【請求項１３】
多数のセットを照明する方法であって、
上側端部及び下側端部を具備する複数の鉛直部材に連結される水平枠組と、
前記装置を移動させるために前記下側端部に連結される可動部材と、
前記枠組に連結されかつ制御し得る、複数の取付具と、
前記取付具と電気通信し、前記取付具の動作を予めプログラム可能にするようなプログラム可能手段を具備するディジタルプロセッサと、を具備し、
前記ディジタルプロセッサが前記取付具の動作を遠隔制御するように構成され、
前記可動部材が前記装置の使用中に水平面によって支持されるように構成され、及び
前記枠組が前記リグを第１ロケーションに移動させる複数の前記鉛直部材によって支持されるように構成される、照明リグ装置を準備する段階と、
第１の所望な照明効果を達成するように前記取付具を調節する段階と、
前記リグを少なくとも第２ロケーションに移動させる段階と、
第２の所望な照明効果を達成するように前記取付具を調節する段階と、を備える多数のセットを照明する方法。
【請求項１４】
前記取付具が前記枠組上の位置及び強度の両方に関して調節される、請求項１３に記載の方法。
【請求項１５】
前記枠組が少なくとも１つの延長アームを備え、少なくとも１つの前記延長アームが少なくとも１つの背景幕照明を支持するように構成される、請求項１３に記載の方法。
【請求項１６】
前記第１ロケーションは第１セットである、請求項１３に記載の方法。
【請求項１７】
前記第ロケーションは第２セットである、請求項１３に記載の方法。
【請求項１８】
多数のセットを照明する方法であって、
上側端部及び下側端部を具備する複数の鉛直部材に連結される水平枠組と、
前記装置を移動させるために前記下側端部に連結される可動部材と、
前記枠組に連結されかつ制御し得る、複数の取付具と、
前記取付具と電気通信し、前記取付具の動作を予めプログラム可能にするようなプログラム可能手段を具備するディジタルプロセッサと、を具備し、
前記ディジタルプロセッサが前記取付具の動作を遠隔制御するように構成され、
前記可動部材が前記装置の使用中に水平面によって支持されるように構成され、及び
前記枠組が前記リグを第１ロケーションに移動させる複数の前記鉛直部材によって支持されるように構成された、照明リグ装置を準備する段階と、
照明が前記第１ロケーションに与えられるように、前記取付具を作動させる段階と、
前記リグを少なくとも第２ロケーションに移動させる段階と、
照明が前記第２ロケーションに与えられるように、前記取付具を作動させる段階と、を備える多数のセットを照明する方法。
【請求項１９】
前記水平面は前記地面である、請求項１８に記載の方法。
【請求項２０】
前記取付具が前記枠組に移動可能に連結される、請求項１８に記載の方法。
【請求項２１】
前記枠組が少なくとも１つの延長アームを備え、少なくとも１つの前記延長アームが少なくとも１つの背景幕照明を支持するように構成される、請求項１８に記載の方法。
【請求項２２】
前記第１ロケーションは第１セットである、請求項１８に記載の方法。
【請求項２３】
前記第２ロケーションは第２セットである、請求項１８に記載の方法。
【発明の詳細な説明】
【技術分野】
【０００１】
この発明は照明装置の分野にあり、より詳細には、テレビ及び映画セット、野外撮影（ロケーションすなわちロケ）並び他の同様な適用と共に使用される、可搬であり適合可能なモジュール式照明装置に関する。ここで、装置内の別個の照明及び取付具は特定のセットの要求に適合し得るものである、装置は、全体として多数のセットで使用するために移動し得る。
【背景技術】
【０００２】
慣用的に、テレビドラマ番組又は映画は、種々の場面及びシーンをしばしば順不同に撮影することにより、そして番組又は映画用の原稿により場面及びシーンを配置することにより作られる。プログラム又は映画によって、シーンはそれぞれ、屋内で又は戸外の何れかで映画化し得る。何れの場合にも、シーンは、「ロケで」又は「セット」で映画化し得る。名前が意味するように、ロケでの撮影は、スタジオ、あるいは同様な設備から離れて催す映画化を含み、そして、しばしば、かなりの量の専門照明設備は依然として要求されるものの、周囲への重大な修正なしに行い得る。対照的に、ロケで映画化されない各シーンに対しては、物理的に別個のセットはリアリティを再現するために何の準備も無しに作られなければならないか、あるいは選択された視覚的スタイルをできるだけ忠実に具体化しなければならない。セットの照明は、リアリティ、あるいは選択された視覚スタイルが各セットによって捕捉し得る程度に著しく寄与する。
【０００３】
平均では、連続テレビドラマは、１つ又は２つのスタジオ建物に位置する１５〜２０のセットを使用する。各セットは３つの壁を有し、第４の壁はカメラを収容するために開放されている。セットは、背後の壁を共有する２〜４セットの固まりすなわちクラスター(clusters)で構築される。音を考慮するため、キャスト及びクルーは一度に１つのみのセットで撮影する。慣用的に、各セットは、特定のセットのために誂えられた照明及び取付具の集成体を支持する、天井から懸架する固定頭上棒(stationary overhead rods)を備える。これらの棒は、高荷重支持屋根に溶接されるか、あるいはさもなければ固定される、多数の鉛直トラスから懸架する水平トラス格子の形態を取り得る。この格子は複数のセット上に延在する。たとえ１つのみのセットが何れか一時に使用するものだとしても、これらの照明及び取付具は、通常、格子上に留まる。
【０００４】
本明細書の記載では、用語「照明」が、タングステン／白熱電球、クオーツ／ハロゲン電球、炭素アークランプ等に言及するために使用されることに留意すべきである。用語「備品」は、他方では、以下に記述する背景幕及び他の物品の幾つかと同様に、レンズ及びシャッタを含む照明のハウジングを一般に参照するために使用される。
【発明の開示】
【発明が解決しようとする課題】
【０００５】
したがって、例えば、連続テレビドラマに対して、単一のエピソードは、居間、寝室、及びキッチンからのシーンを含み得るものであり、「居間」、「寝室」、及び「キッチン」セットの各々は別々に構築される。そして、各々は、頭上の棒に取り付けられたそれ自身の照明及び照明取付具を有しなければならない。「居間」照明は居間セットのみのために調整される。クルーは、頭上の棒から丹念に一つずつそれらを分離することによる場合以外は、「寝室」又は「キッチン」セットで使用される「居間」照明を単に移動させることができない。このように、固定照明集成体が各セットに対して特別に誂えなければならないので、従来技術は非常に高い労働及び材料費を創出していた。クルーが一度に１つのセットのみ撮影するので、莫大な量の照明及び索具は、製作の間にさえ、大部分の時間に亘って休止状態のままである。一旦、セットが役に立たなくなれば、各集成体は廃棄（あるいは、せいぜい、分解）されなければならない。さらに、同じセット内でさえ、照明と取付具は、莫大な量の時間及び労働の投資無しには再配置することはできない。
【０００６】
さらにまた、図１に示すような、従来技術の固定索具装置では、照明及び器具は頭上の棒に固定される。図１は、従来技術のクラスターセット１０２、１０３、及び１０４に取り付けた従来技術による固定頭上索具１０１の描写を示す。クルーは、シーンの要求に対応するために照明及び器具を水平又は鉛直に容易に移動させることができない。各照明及び器具の使用はこれにより制限される。本発明は、その多様性により、同一の効果範囲を達成するために、単一セット内にさえ、従来技術が要求するよりも少ない照明及び器具しか要さない。
【０００７】
例えば、周遊ステージ・ショーと共に、容易に搬送かつ使用し得るコンパクトな折重みトラスユニットを設けることが知られている。そのようなコンパクトユニットは容易に輸送、集成、及び分解し得るが、それらの使用は非常に限定される。それらは、集成及び輸送の容易さのために主として構成されているので、それらはスタジオ製作に必要な照明及び他の設備の範囲に対応することができない。
【課題を解決するための手段】
【０００８】
本発明の特徴及び利点は以下の記述及び図面を通じて検討される。しかしながら、本発明の特定の実施形態を示す一方で、詳細な説明及び特定の実施可搬が実例のみによって与えられることを理解すべきである。また、種々の修正は本発明の精神を逸脱せずに、当然行い得るものである。
【０００９】
本発明は、上に概ね検討したタイプの従来技術装置の欠点を克服する。第１に、現在のリグは可搬可能である。そのように、リグは、２つ及び多数のセット間で速やか且つ容易に移動し得るものであり、ディジタルプリセット又は再プログラム、及び再使用のボタンにタッチすることで再設定し得る。本明細書に開示された本発明の実例では、リグは「居間」セットから「キッチン」又は「寝室」セットに移動し、数分で使用準備することができる。このように、本発明は、各セットのため扱い難い個々に誂えられたリグを構築し、このリグを調節及び修理することに関連した材料及び労務費の多くを除去する。例えば、２０セットを含んでいるスタジオでは、リグ数は２０から１まで減じられる。同様に、照明及び取付具（しばしば、非常に高価である）は、従来のリギング装置に関して使用される約１２分の１にも減じられる。したがって、現在の技術の状態による１つのリグに対立するものとしての本発明による１つのリグを構築することにより多くのコストがかかっても、本発明は、より少数のリグしか必要としないので、本発明は依然としてテレビ又は映画製作に対する著しいコスト削減に帰着する。
【００１０】
本発明の追加コスト節減という特徴は、本発明が当該技術で知られている多重セットリグより小さくし得るという事実に由来する。それは、他のものが使用されている間、他のセット上で使用されていない状態で位置する部分を二重にする必要がないので、より少数の部品しかない。例えば、より少数の照明、及びより少数の減光装置しか必要としない。壊れる部分が少ないので、より少ない複合装置は一般により少ない問題しか有さない。このように、本発明の維持コストは当該技術で既知の装置より低下することが予想される。
【００１１】
本発明は、従来技術による固定リギングを支持することができる屋根又は同様の構造を有する建物の建造に関連している材料及び労務費も縮小する。本発明のリギングの重量が床によって支持されるので、本発明のリギングを収容する建物は天井からの従来のリギングの重量を支持するように構成される必要はない。
【００１２】
セットより上に不動に懸架される従来技術による固定リギングとは対照的に、現在のリグは地面上にある。従来技術による装置では、照明又は取付具を移動又は交換するために、労働者は梯子を取り付けなければならず、あるいは、非常に頻繁に、リギングの高さのために、フォークリフト又は他の電動車両又は装置を使用する。これは、今度は、労働者がセット内の家具及び小道具を移動させることを一般的に要する。さらに、時々、労働者は頭上の棒から成るまさに構造体に物を加えるか、あるいは物を減じなければならない。本発明は、対照的に、前述のものの何れも必要としないで変更を行うことができる。これは時間及び労働の節減に変えられる。さらに、リグは、１つのセットで映画を撮影するための使用の間に地面上で移動可能に固定されるので、映画撮影が最初のセットで終了した直後、リグは任意のセットの外側の「ホーム」位置へ、及び／又は別のセットに車輪で動かすことができる。リグがこれらのロケの何れにもある間、クルーは必要な調節及び修理を行うことができる。
【００１３】
そのような修理は電球又は取付具を交換することを含み得る。本発明の電球及び取付具は移動可能であるため、修理する必要がある電球又は取付具は自動的又は手動で修理のためにはよりアクセス可能な位置へ降下される。これは、照明を位置づけ必要な修理を行なうためにリギングまで人を上昇させる費用を節減する。
【００１４】
さらに、例えば、ニュース、トーク及びゲーム・ショーのような番組のような１つ以上の番組に対するスタジオ設備であるハウジング・スタジオでは、録画スケジュールに関して必要又は好都合な時に、リグがスタジオ間で移動し得る。
【００１５】
第３に、本発明は、スタジオの１平方フィート当りの寸法及びコストの両方をかなり減じることを可能にする。本発明は、何百もの照明及び取付具が多数のセット上に垂下する重い懸架されたトラスの精巧な装置の重量を支持することができる高荷重支持屋根の構築に対する要求を削除する。したがって、本発明は、新しいスタジオを構築するコストを減じ、プロダクションがスタジオとして元々構成されていないより廉価な空間での撮影を考慮可能にする。
【００１６】
更に、本発明は、従来技術による固定リギングを構築するのに現在要する時間を削減する。平均的な連続テレビドラマに対して、リギングの構築は２週間以上かかる。構築に関連したコストは大量のトラス、照明、取付具及び建設機械、スタジオ空間（あるいは所有されたスタジオ空間の休止時間）のレンタル及び著しい労務費を含んでいる。さらに、「指導者(pilot)」が探し出せない場合、あるいは連続物が取り消された場合、従来技術に関連する前述のほとんどのコストは、回収不能原価、換言すれば損失である。さらに、更なるコストがリギングを分解する際にかかる。本発明は、対照的に、単に賃貸され、容易に必要な程度まで修正され、プログラムが終了する場合には賃貸人に返却し得る。プロデューサーが後に取り消される番組で使用するために現在のリグを購入する場合、プロデューサーは別のプロダクションにリグをそっくりそのまま売却し得る。
【００１７】
さらに、従来技術が使用される場合、多数のセットは、比較的容易に１つのセットを別のセット（例えば、食堂に変形された居間）に、さもなければ、変形することができるか否かに拘わらず構築しなければならない。照明リグ全体が再配置され、そして恐らくはどのセットが使用されるかに基づいて再建さえしなければならないので、そのような変換は実際的でない。本発明のリグは、他方では、同じセットを異なるように照明すること並びに異なるセットを単にコンピューター・コンソール上の設定を変更することによって照明するように速やか且つ容易に適合し得る。
【００１８】
第４に、所定のセット内では、本発明は従来技術装置よりはるかに用途が広い。本発明は、照明及び取付具が物理的に水平及び垂直に移動可能にし、かつ、さもなくば、遠隔制御によって操作可能にする。従来技術によるリグは、単に、照明が明るくされるか減光されることを可能にし、或る場合には、固定位置から手動で傾けることを可能にする。現在のリグの多様性は、従来技術によるリグに要求されるよりも、同一又はより少数の照明及び取付具で極めて多くの照明効果を可能にする。
【００１９】
第５に、現在のリグは、１セット内にドア及び窓の全てのための曲げ易く、適応可能な背景幕を含んでいる。テレビ及び映画の製作では、ドアの外部に、あるいは窓、例えば、街の光景、牧草地、山脈等をシミュレートするために、描かれた背景幕又はスクリーンがスタジオ・セットで使用される。また、ブラインド、シェード及びドレープは窓から来るように見える光及び影を調整するために使用される。現在のリグは、ブラインド、照明、描かれ且つ写真撮影された背景及びスクリーンから成る装置を含む。前述のものは全て各セットに適合し得るものであり、対応する照明設定と共に予めプログラムし得るものである。本発明は、各背景幕及びブラインドのいずれを個々に手動で設置しなければならないかに関して、従来技術に対する進歩性を示している。
【００２０】
図２に示すように、光及び背景装置のそのようなプログラミングは、制御装置１３０によって制御し得る。この制御装置は、当該技術分野で周知の何れかの形態で構成し得るが、コンピューター・ステーション、ハンドヘルド制御装置、あるいは照明ボードから成る形態には限定されない。これらの装置の設定は予めプログラムされるか、あるいは制御装置のメモリにセットし得る。このように、本発明が同じセット上で２回使用される場合、それは、セット上で使用された前回と同一角度及び同一強度での照明を提供し得る。この特徴は、信頼し得るものであり、使用の間に変動せず、本発明が使用される毎に時間を消費する設定を要さないといった装置の特徴を本発明が提供することを可能にする。勿論、使用者が所望するなら、照明は手動で調節し得ることが当業者によって理解されなければならない。
【００２１】
第６に、本発明の装置はコンピューターを含み得るものであり、これにより、リグ、並びに照明、取付具、及び背景幕のような他の装置は遠隔制御し得るものであり、かつ各セットに対して予めプログラムすることができる。現在、テレビ及び映画製作では、コンピューターは照明、取付具、及び他の装置を移動させるのではなく光の強度を制御するために一般に使用される。したがって、本発明は、労働と人員に関連するコストを減じる。
【００２２】
最後に、図６に示すように、本発明は、セット構築及び製作のプロセスの単純化及びセット構築及び製作のプロセスにおける向上された効率を可能にする。より詳細には、本発明では、各セットは自由に立てることができる。共有される壁を有するクラスターの部分である必要がない。現在のリグは、各セット上に位置付け得るものであり、かつ「集成ライン」の態様でセット間を移動する。セットは、従来の集成ラインの態様でのような直線状列に位置付け得るが、円、正方形、あるいはリグがセット間で移動可能にする他の形状構成に位置付け得る。
【００２３】
本発明の１実施形態では、現在のリグの２つ以上が互いに隣接して配置し得るものであり、あるいは適切な状況では、物理的にモジュー式に連結し得る。このリンクは線形、あるいは他の角度とし得る。このリグは、当該技術で周知の何れかの手段によって一緒に固定し得る。例えば、２つのリグは、隣接するリグトラス部材を貫通してナット及びボルトを配置することによって、直線状配置に連結し得る。角度を成して結合するために、リンクブラケットのようなヒンジ手段は、リグの端部部材にボルトで締めるか、あるいは取り付けることができる。リンクブラケットに固締された拡張可能な締め金は、ヒンジの頂点で角度を成すことができる。
【００２４】
本発明の実施形態は１組の照明装置と関連し、「照明リグ（あるいは、単に「リグ」）」とも呼称されている。本発明の実施形態は、枠組が鉛直部材に対して上下動することを可能にするように、複数の鉛直部材（例えば、支柱）に配置された複数の枠組を備える。後者は、今度は、全リグが１つのセットから別のセットに移動されることを可能にするために、ローラー、車輪、コースター、スライド等を装備している。照明、照明取付具、及び他の同様な取付具は、装置が遠隔制御されることを可能にするような方法で枠組に取り付けられる。特に、本発明の実施形態では、照明、取付具、及び／又は枠組はコンピューター制御される。そのように、装置の動作、強度、角度、高さ及び他の同様な仕様は予めプログラム可能である。そしてリグは必要に応じて遠隔操作可能である。
【発明を実施するための最良の形態】
【００２５】
図２及び図３は、本発明の装置の１実施形態を示す。これらの図に示されるように、セット照明装置１０はセット６０に隣接して位置付けられ、かつ水平な枠組２０を備える。枠組２０は複数の鉛直部材３０に配置され、好ましい実施形態では、矩形形状に配置される水平部材２２を含んでいる。しかしながら、他の配置（例えば、楕円、円、等のような）も、特定セットの幾何学的及び照明要求に従って採用し得ることは当業者には自明である。
【００２６】
鉛直部材３０は上側自由端部３２及び下側端部３４を備える。鉛直部材３０の下側端部３４は、全装置１０が１つのセットから別のセットに移動可能にするように、ローラー、あるいは、車輪、コースター、スライド等のようなその他の同様な手段装備している。上側端部３２に向かう位置は、鉛直部材３０は枠組２０に連結される。
【００２７】
図２に示すように、枠組２０には多様な照明５０及び照明取付具５２を取り付けた。さらに、枠組２０は１つ以上の延長アーム２４を装備し得る。実際に、延長アーム２４は、１つ以上の背景幕照明５４のためのリギング空間を提供する。
【００２８】
本発明の照明装置は、ディジタル・プロセッサー（図示せず）と共に使用されるように構成される。ディジタル・プロセッサー（例えば、コンピューター）は、当該分野で周知な態様で本発明の照明装置を電気的に、かつ遠隔的に操作するために、予めプログラムし得る。例えば、ディジタル・プロセッサーは、制御装置（例えばディジタル制御パネル、ＤＭＸ装置）と電子通信によって、枠組２０の高さ、並びに照明５０、照明取付具５２、及び背景幕照明５４の特性を制御する。
【００２９】
好ましい実施形態では、枠組２０は鉛直部材３０によってのみ支持される。そのように、セットより上で、枠組、すなわち装置は懸架されるか、さもなければ、固定されるという要求はない。これに反して、装置１０はセットを映画化する際のその使用期間中、地面に接したままである。
【００３０】
実際、照明装置１０は、照明５０、照明取付具５２、及び枠組２０に取り付けられた背景幕５４と共に、可動装置４０を使ってセット６０上に回転される。リグの位置は、コンピューターによって予めプログラム可能である。枠組の高さは、セットの壁の高さ並びにセットの照明要求に従って調節される。一旦、所定位置に配置されると、制御装置はリアル・タイムで、あるいはディジタル・プロセッサーを使って予めプログラムされたスキームに従って、照明及び他の取付具を調節かつ作動させるのに使用される。セット上での映画化が終了すると、照明装置１０は、この照明装置を使用する別のセットに移動し得るか、あるいは固定したままとすることができる。そして、セットは第２セットの照明要求を満たすために調整された枠組、照明、及び照明取付具と共に異なるシーンを描くために変更し得る。
【００３１】
本発明の好ましい実施形態では、枠組２０が鉛直部材３０対して直角に移動することができるように装置は形状付与され、もって特定のセットに対する照明が柔軟性及び多様性を有することを可能にする。鉛直部材３０に枠組２０を連結される実際の構造は、当該分野で周知の形状、すなわち、機械式（軸受、ケーブルなど）、電気機械式、水力式、電気水力式、コンピューター化／完全自動化等とし得る。
【００３２】
図４は、本発明の実施形態によって水平なトラス上昇及び下降させる１つの機構の拡大図である。図４に示す機構は歯車の形態をとる。植込歯車１０６の歯１０７は装置の対応する歯１０８と噛み合う。植込歯車を一方向に回転させると、水平トラスを上昇させるように働く一方で、植込歯車を反対方向に回転させると、水平トラスを降下させる。植込歯車の回転は、手動で、水力式、電気水力式、あるいは当該分野で周知な何れか他の手段によって駆動し得る。
【００３３】
図５は、全て本発明の実施形態による、（１）水平トラス２２を昇降させる別の機構、及び（２）照明１１４及び取付具１１５を保持するために「低」モードにあるリグを示す。図５に示す機構は、ケーブル１１０及び滑車１１１機構の形態を取る。この機構は、手動で、電気的に、水力式に、電気水力式に、あるいは当該分野で周知の他の装置によって電力供給し得る。
【００３４】
一旦、水平トラスが所望高さに上昇されると、（ａ）これらのトラスが落ちないか又は位置を変更しない、及び（ｂ）設けられた照明が一定のままであるように、これらのトラスはその高さに固定されるべきである。そのような固定はばね式ピン又は類似の機構によって有効にし得るか、あるいは同様の機構はトラスを所定位置に錠止する。好ましい実施形態では、そのような錠止機構はリグの各隅部に位置する。しかしながら、リグの全隅部よりも少ない数でそのような錠止機構の配置がトラスを所望高さに確実に固定するには十分であるべきことを理解すべきである。
【００３５】
図６は、本発明の実施形態を示す、本発明によるリグが製作の「集成ライン」プロセスでセットからセットへと如何様に移動するかを示す上面図である。図６に示すように、セットが使用される場合に個々のセット上の位置に、リグ１２０が移動し得るか、あるいはこのリグは自動的に移動し得る。図６に示すように、リグ１２０はセット１上にある。「集成ライン」のセットは、２つのセット間に、及び複数のセット間でリグ１２０を移動可能にするように構成すべきである。セットは、慣用の集成ラインの態様におけるように直線状列に位置付け得るが、円、正方形、あるいはリグ１２０をセット間で移動可能にする何れか他の構成に位置付け得る。さらに、本発明のリグ１２０の２つ以上は、互いに隣接して配置し得るか、あるいは適切な状況下ではモジュラー式に物理的に連結し得る。
【００３６】
本発明の実施形態がこれらの実施形態の構成又は本願明細書に開示された特定の実施形態への適用に限定されないことは当業者には明白である。したがって、本発明は、添付の特許請求の範囲及びその何れかの均等物によって規定されるような本願明細書に開示かつ示唆された全ての実施形態を包含するように構成される。
【図面の簡単な説明】
【００３７】
【図１】従来技術によるクラスターセット上に取り付けられた従来技術による固定頭上リギングを示す図である。
【図２】本発明の実施形態によるリグの側面図である。
【図３】本発明の実施形態によるリグの頂面図である。
【図４】本発明の実施形態による水平トラスを昇降させる１つの機構の拡大図である。
【図５】本発明の実施形態による、（１）水平トラス２２を昇降させる別の機構、及び（２）照明及び取付具を維持するための「低」モードにあるリグを示す図である。
【図６】本発明の実施形態を示す、本発明によるリグが製作の「集成ライン」プロセスでセットからセットへと如何様に移動するかの上面図である。
【符号の説明】
【００３８】
１０  照明装置
２０  枠組
２２  水平部材
２４  延長アーム
３０  鉛直部材
３２  上側自由端部
３４  下側端部
４０  可動装置
５０  照明
５２  照明取付具
５４  背景幕
６０  セット
１０１  固定頭上索具
１０２、１０３、１０４  クラスターセット
１０６  植込歯車
１０７、１０８  歯
１１０  ケーブル
１１１  滑車
１１４  照明
１１５  取付具
１２０  リグ
１３０  制御装置
【図１】
2004535656.tif 000003
【図４】
2004535656.tif 000004
【図５】
2004535656.tif 000005
【図６】
2004535656.tif 000006
【国際公開パンフレット】
2004535656.tif 000007
2004535656.tif 000008
2004535656.tif 000009
2004535656.tif 000010
2004535656.tif 000011
2004535656.tif 000012
2004535656.tif 000013
2004535656.tif 000014
2004535656.tif 000015
2004535656.tif 000016
2004535656.tif 000017
2004535656.tif 000018
2004535656.tif 000019
2004535656.tif 000020
2004535656.tif 000021
2004535656.tif 000022
2004535656.tif 000023
2004535656.tif 000024
2004535656.tif 000025
2004535656.tif 000026
【国際公開パンフレット（コレクトバージョン）】
2004535656.tif 000027
【国際調査報告】
2004535656.tif 000028